(57)【要約】【課題】  ユーザ個々の使い方や習熟度、経験度合いに応じて、使い勝手が良くなるように取扱説明書の電子データを編集することができるようにする。【解決手段】  デジタルスチルカメラは、取扱説明書のデータを記憶する記憶部２と、記憶部２から取扱説明書の電子データを読み出して、表示装置４に取扱説明書を表示する表示制御部３と、表示装置４に表示された取扱説明書を編集可能な編集部５と、表示制御部３や編集部５を操作するための操作部材６とを備える。【選択図】  図１
2006260249.tif 000002
【特許請求の範囲】
【請求項１】
取扱説明書のデータを記憶する記憶手段と、
前記記憶手段から取扱説明書のデータを読み出して、表示装置に取扱説明書を表示する表示制御手段と、
前記表示装置に表示された取扱説明書を編集可能な編集手段と、
前記表示制御手段及び前記編集手段を操作するための操作手段とを備えたことを特徴とする電子画像取扱装置。
【請求項２】
前記取扱説明書は、当該電子画像取扱装置の電子画像取扱装置本体及び前記電子画像取扱装置本体に着脱可能な付属装置に関する使用方法を説明するためのものであることを特徴とする請求項１に記載の電子画像取扱装置。
【請求項３】
前記表示装置に取扱説明書を表示するモードと、前記表示装置に取扱説明書を表示して編集可能とするモードとを有することを特徴とする請求項１又は２に記載の電子画像取扱装置。
【請求項４】
前記編集手段は、前記取扱説明書から選択された文字列又は項目に見出しのためのマークを追加することができることを特徴とする請求項１〜３のいずれか１項に記載の電子画像取扱装置。
【請求項５】
前記編集手段は、前記取扱説明書から選択された文字列又は項目の表示形態を変更することができることを特徴とする請求項１〜４のいずれか１項に記載の電子画像取扱装置。
【請求項６】
前記表示形態の変更とは、表示／非表示の変更、文字又は背景の色の変更、書体の変更のうち少なくともいずれか一方を含むことを特徴とする請求項５に記載の電子画像取扱装置。
【請求項７】
前記編集手段は、前記取扱説明書から選択された文字列又は項目を消去することができることを特徴とする請求項１〜６のいずれか１項に記載の電子画像取扱装置。
【請求項８】
前記編集手段は、前記取扱説明書に載せられている画像に対して、予め準備された別の画像及び新たに作成された画像のうち少なくともいずれか一方を追加又は置換することができることを特徴とする請求項１〜７のいずれか１項に記載の電子画像取扱装置。
【請求項９】
前記編集手段は、前記取扱説明書に新たに作成した文字列を追加することができることを特徴とする請求項１〜８のいずれか１項に記載の電子画像取扱装置。
【請求項１０】
前記新たに作成した文字列のデータは他の電子機器で作成されたものであることを特徴とする請求項９に記載の電子画像取扱装置。
【請求項１１】
前記編集手段による編集後の取扱説明書のデータを前記記憶手段に記憶させることを特徴とする請求項１〜１０のいずれか１項に記載の電子画像取扱装置。
【請求項１２】
取扱説明書のデータを記憶する記憶手段を備えた電子画像取扱装置による取扱説明書の編集方法であって、
前記電子画像取扱装置が、操作手段による操作に応じて、前記記憶手段から取扱説明書のデータを読み出して、表示装置に取扱説明書を表示する手順と、操作手段による操作に応じて、前記表示装置に表示された取扱説明書を編集する手順とを行うことを特徴とする電子画像取扱装置による取扱説明書の編集方法。
【請求項１３】
取扱説明書のデータを記憶する記憶手段を備えた電子画像取扱装置に使用されるコンピュータプログラムであって、
操作手段による操作に応じて、前記記憶手段から取扱説明書のデータを読み出して、表示装置に取扱説明書を表示する表示制御処理と、
操作手段による操作に応じて、前記表示装置に表示された取扱説明書を編集する編集処理とをコンピュータに実行させることを特徴とするコンピュータプログラム。
【発明の詳細な説明】
【技術分野】
【０００１】
本発明は、取扱説明書のデータを記憶する記憶手段を備えた電子画像取扱装置、電子画像取扱装置による取扱説明書の編集方法、及びコンピュータプログラムに関する。
【背景技術】
【０００２】
一般的に、電子機器等の使用方法を説明するための取扱説明書は、機器本体や付属装置とは別に、紙への印刷物として提供されることが多い。
【０００３】
近年では、パーソナルコンピュータ（以下、「パソコン」と称する）の普及に伴って、ＰＤＦファイルフォーマットといった汎用的な電子ファイル形式が一般化しており、紙への印刷物とは異なるいわゆる電子取扱説明書といったものも提供されるようにはなった。しかしながら、ＰＤＦファイルフォーマットはあくまでもパソコンでの使用を主眼としていることから、パソコンと異なる機器においては、大量の紙への印刷物を携帯又は長期に保存するような必要がある場合を除けば、大きな利便性を感じることは少なかった。
【０００４】
また、携帯性を重視した電子機器、例えばデジタルカメラやデジタルビデオカメラ等においては機器本体や付属装置を駆動させるための電源装置、ケーブル等の持ち運びを必要とする周辺機器等が必要となる場合がほとんどあることから、携帯性と使用頻度を考慮し、紙製の取扱説明書も同時に持ち歩くことは非常に稀である。
【０００５】
その一方で、電子機器はますます高機能、高性能化し、その使用方法が複雑化することにより、取扱説明書がないと、機器の性能を十分に発揮させることができないばかりでなく、場合によっては機器のトラブルに陥るケースも少なくない。これらを回避する手段として、電子機器の使用方法等を説明するヘルプ、ガイダンス、及び電子取扱説明書等について様々な提案がなされているものの、そのほとんどは、あくまでも従来の紙への印刷物として提供されている取扱説明書に対する補助的機能としての提案がほとんどである。
【０００６】
従来の取扱説明書の代わりとして、ヘルプ・ガイダンス機能と呼ばれるものも提案されている（例えば、特許文献１参照）。特許文献１においては、カメラ本体又はそのカメラ本体に着脱可能なアクセサリの表示部に、操作の方法や釦の機能説明等を表示するものである。具体的には、カメラ本体又はアクセサリの操作部材を操作することで、その操作部材の撮影情報や機能に関する説明を表示することが可能としたものである。
【０００７】
また、電子カメラの画像データを記録する着脱可能な外部記録媒体に、一部の取扱説明書の電子データを格納し、必要時に電子データを読み出して機器本体の表示手段に表示するようにしたものも提案されている（例えば、特許文献２参照）。特許文献２においては、外部記録媒体に格納された取扱説明書の電子データを表示手段を用いて表示可能としているものの、カメラの制御プログラムに対して後から追加可能とする機能に対応した一部の取扱説明書に限定したものである。
【０００８】
【特許文献１】特開平５−２１６１０６号公報
【特許文献２】特開２００３−８７６２８号公報
【発明の開示】
【発明が解決しようとする課題】
【０００９】
上述した特許文献１では、カメラに備えられた操作部材の作動検知に連動したガイダンス表示であるため、基礎的な使用方法や設定方法、操作部材に連動しないような操作や設定方法、トラブル発生時の復帰操作方法、また広範囲に渡るカメラの使用方法の学習や習得といった情報を提供するには機能及び説明についても十分ではなく、あくまでもユーザの撮影に関する限られた操作に連動した受動的な操作ガイダンス表示であり、取扱説明書の補助的機能に留まったものである。
【００１０】
また、特許文献２では、カメラの制御プログラムに対して後から追加可能とする機能に対応した一部の取扱説明書に限定したものであるため、特許文献１の場合と同様に、基礎的な使用方法や設定方法、操作部材に連動しないような操作や設定方法、トラブル発生時の復帰操作方法、また広範囲に渡るカメラの使用方法の学習や習得といった情報を提供するには十分なものとはいえない。
【００１１】
さらに、いずれの特許文献においても、ユーザ自身が電子画像取扱装置上で取扱説明書を編集したり、カスタマイズしたりする機能を備えたものは提案がなされていない。
【００１２】
本発明は上記のような点に鑑みてなされたものであり、取扱説明書を常に携帯するような必要性を無くし、各種の操作における使用方法や機能等の情報をその場で容易に確認できるようにするだけでなく、基礎的な使用方法や設定方法、操作部材に連動しないような操作や設定方法、トラブル発生時の復帰操作方法、また広範囲に渡る電子画像取扱装置の使用方法の学習や習得といった情報をも提供できるようにすることを目的とする。更には、ユーザ個々の使い方や習熟度、経験度合いに応じて、使い勝手が良くなるように取扱説明書の電子データを編集可能にすることを目的とする。
【課題を解決するための手段】
【００１３】
本発明の電子画像取扱装置は、取扱説明書のデータを記憶する記憶手段と、前記記憶手段から取扱説明書のデータを読み出して、表示装置に取扱説明書を表示する表示制御手段と、前記表示装置に表示された取扱説明書を編集可能な編集手段と、前記表示制御手段及び前記編集手段を操作するための操作手段とを備えた点に特徴を有する。
本発明の電子画像取扱装置による取扱説明書の編集方法は、取扱説明書のデータを記憶する記憶手段を備えた電子画像取扱装置による取扱説明書の編集方法であって、前記電子画像取扱装置が、操作手段による操作に応じて、前記記憶手段から取扱説明書のデータを読み出して、表示装置に取扱説明書を表示する手順と、操作手段による操作に応じて、前記表示装置に表示された取扱説明書を編集する手順とを行う点に特徴を有する。
本発明のコンピュータプログラムは、取扱説明書のデータを記憶する記憶手段を備えた電子画像取扱装置に使用されるコンピュータプログラムであって、操作手段による操作に応じて、前記記憶手段から取扱説明書のデータを読み出して、表示装置に取扱説明書を表示する表示制御処理と、操作手段による操作に応じて、前記表示装置に表示された取扱説明書を編集する編集処理とをコンピュータに実行させる点に特徴を有する。
【発明の効果】
【００１４】
本発明によれば、取扱説明書を常に携帯するような必要性を無くし、各種の操作における使用方法や機能等の情報をその場で容易に確認できるようにするだけでなく、例えば基礎的な使用方法や設定方法、操作部材に連動しないような操作や設定方法、トラブル発生時の復帰操作方法、また広範囲に渡る電子画像取扱装置の使用方法の学習や習得といった情報をも提供することができ、しかも、ユーザ個々の使い方や習熟度、経験度合いに応じて、使い勝手が良くなるように取扱説明書の電子データを編集することができる。
【発明を実施するための最良の形態】
【００１５】
以下、添付図面を参照して、本発明の好適な実施形態について説明する。本実施形態では、本発明が適用可能の電子画像取扱装置としてデジタルスチルカメラを例にして説明する。図２、３は、本実施形態のデジタルスチルカメラの外観図である。１はカメラ本体である。１０はカメラ本体１に着脱可能な撮影レンズであり、本発明でいう付属装置の一つである。
【００１６】
１１はカメラ本体１から交換レンズ１０を取り外すためのレンズ取り外しボタンである。１２はカメラ本体１に収納された状態にある内蔵ストロボである。１３は各種撮影モードを切り替えるモードダイヤルである。１４はシャッター速度や絞り値等の各種値を入力するための電子ダイヤルである。
【００１７】
１５は測光、測距処理を開始するためとレリーズを行うための二段階スイッチであるレリーズボタンである。レリーズボタン１５の一段目まで軽く押し込むことを「半押し」といい、この状態で測光、測距処理が行われる。半押しからさらに二段目まで押し込むことを「全押し」といい、この状態でカメラ本体１内部の不図示のシャッター装置及び撮像素子が作動することで露光動作が行われる。
【００１８】
１６は内蔵ストロボ１２を使用するための内蔵ストロボボタンである。内蔵ストロボボタン１６が押されると、図示した収納状態から内蔵ストロボ１２のストロボ発光部光軸が撮影レンズ１０の光軸に対して略平行な位置になるまで開動を行う。
【００１９】
１７は絞込みボタンであり、そのとき設定されている絞り数値に相当する光量値になるまで撮影レンズ１０に内蔵された絞り装置を作動させ、後述するファインダを観察しながら被写界深度を確認することができる。
【００２０】
１８はデジタルスチルカメラの動作、非動作を切り替えるメインスイッチである。１９はデジタルスチルカメラに内蔵されたセルフタイマーを使用するためのセルフタイマーボタンである。
【００２１】
４ａはデジタルスチルカメラの設定情報及び撮影された画像を表示するための表示装置であり、取扱説明書の電子データを表示可能としたカラー表示可能なドットマトリックス状のＬＣＤ（液晶ディスプレイ）等のモニタで構成される。
【００２２】
４ｂはデジタルスチルカメラの各種設定状態、撮影枚数、電池の残量状態等を常時表示するための液晶表示部材からなる外部液晶表示部である。
【００２３】
６ａ〜６ｎはデジタルスチルカメラを操作するための複数の操作部材であり、本発明でいう操作手段に相当する。６ａはメニューボタンであり、撮影時における各種の設定、撮影画像の再生時の各種設定、その他カメラの初期設定等、種々な機能を項目別に分類したメニュー項目を表示装置４ａに表示させるためのものである。メニューボタン６ａを押した場合には、これらの設定変更操作が可能な状態（以下、「メニューモード」と称する）となる。基本操作は、表示装置４ａを見ながら操作部材を使用して設定していく。また、通常の撮影操作が可能な状態、又は、撮影を行っている状態を撮影モードという。
【００２４】
６ｆは上方向十字キー、６ｇは右方向十字キー、６ｈは左方向十字キー、６ｉは下方向十字キーであり、メニューモード時においては、表示装置４ａに表示されたメニュー項目を各十字キー６ｆ〜６ｉの操作に応じて選択することが可能である。６ｊは各十字キー６ｆ〜６ｉの操作によって選択された設定内容を設定するためのセットボタンである。
【００２５】
６ｄは再生ボタンであり、再生ボタン６ｄを押すと最後に撮影された画像が表示装置４ａに表示される。この状態を再生モードという。６ｃはジャンプボタンであり、再生モード時にジャンプボタン６ｃを押すと、表示装置４ａに表示される画像を他の画像へすばやく飛ばして表示することができる。
【００２６】
６ｂはインフォメーションボタンであり、再生モード時にインフォメーションボタン６ｂを押すと、表示装置４ａに表示されている画像の撮影情報が表示される。また、撮影モード時の撮影準備状態でインフォメーションボタン６ｂを押すと、現在メニューモードで設定されている内容が表示装置４ａに表示される。
【００２７】
６ｅは消去ボタンであり、再生ボタン６ｄを押して画像を表示した状態で消去ボタン６ｅを押すと、画像を消去することができる。６ｌは露出補正ボタンであり、撮影モード時に電子ダイヤル１４との組み合わせで、露出量の補正を行ったり、撮影レンズ１０の絞り数値を設定したりする。
【００２８】
６ｋは照明ボタンであり、外部液晶表示部４ｂのバックライトを点灯させる。６ｍはＡＥロックボタンであり、撮影モード時にＡＥロック撮影を行う。６ｎはＡＦフレーム切り替えボタンであり、撮影モード時にＡＦフレーム切り替えボタン６ｎを押した後に電子ダイヤル１４を回すことにより、オートフォーカスの測距位置の切り替えができる。
【００２９】
２０は撮影被写体を確認するためのファインダである。２１は着脱可能な不図示のメモリカードをカメラ本体１に収納するメモリ収納部である。２２はメモリカードへの通信アクセス中であることを示すアクセス表示部であり、内部にＬＥＤ装置等を配置することで構成されている。
【００３０】
図１は、以上述べたデジタルスチルカメラの概略内部構成を示すブロック図である。図２、３で説明した各部の構成と同様な構成要素に関しては、同一の番号を付与し、それらの説明についても省略する。図１において、１はカメラ本体である。
【００３１】
２は記憶部であり、撮影された画像データの画像記録領域の他に、取扱説明書の電子データ等を格納する記録領域を有する不揮発性メモリである。記憶部２は、メモリカード等からなる外部記録媒体をカメラ本体１に着脱可能とする形態であっても良い。
【００３２】
３は表示制御部であり、記憶部２に記憶された画像データや撮影データの他、取扱説明書の電子データを読み出して表示装置４に表示する。
【００３３】
４は表示装置であり、ここでは、図３に示した２種類の表示装置４ａ、４ｂのうちカラー表示可能なドットマトリックス状のＬＣＤ（液晶ディスプレイ）等のモニタで構成される表示装置４ａである。
【００３４】
５は取扱説明書の電子データを所定の範囲内で編集可能な編集部である。編集することのできる内容については後述する。
【００３５】
６はデジタルスチルカメラを操作するための複数の操作部材であり、カメラの種々の設定や操作を行うものでプッシュ式のオンオフボタンであったり、回転式のダイヤル操作部材であったり、レバー式やスライド式のものであったりしてもよい。
【００３６】
編集部５は、操作部材６を用いて後述するような操作を行うことで、記憶部２に記憶された取扱説明書の電子データを表示制御部３を介して表示装置４に表示しながら、所定の範囲内で編集する。編集後の取扱説明書の電子データは記憶部２へ再び記憶することで、次回以降は編集済の取扱説明書を表示装置４に表示することが可能となる。
【００３７】
図４は、本実施形態のデジタルスチルカメラの各モードへの移行を説明するフローチャートである。ステップＳ５０において、カメラ電源がオン状態にある。ステップＳ５１は、カメラ電源のオン直後の状態であり、各種のカメラモード選択が可能なスタンバイ状態にある。
【００３８】
ステップＳ５１のスタンバイ状態からレリーズボタン１５がオンされると、ステップＳ５２の撮影モードへ移行し、撮影シーケンスが行われる。所定の撮影シーケンスが完了すると、再びステップＳ５１のスタンバイ状態へ戻る。
【００３９】
また、ステップＳ５１のスタンバイ状態から再生ボタン６ｄがオンされると、ステップＳ５３の再生モードへ移行し、撮影済みの画像を表示装置４に再生表示や画像検索を行い、更に操作部材６の操作に応じて撮影した画像を自由に選択して、１枚表示や画像情報表示、インデックス表示、拡大ズーム表示等を行うことも可能となる。
【００４０】
また、ステップＳ５１のスタンバイ状態からメニューボタン６ａがオンされると、ステップＳ５４のメニュー設定選択状態へ移行し、撮影時における各種設定、撮影画像の再生時の各種設定、その他カメラの初期設定等、種々な機能を項目別に分類したメニュー項目を表示装置４に表示する。この状態から十字キー６ｆ〜６ｉ及びセットボタン６ｊを操作することで、ステップＳ５５の各種の設定モードへ移行することが可能となる。
【００４１】
ステップＳ５４のメニュー設定選択時に、メニュー項目の中に設定された取説モードという項目を選択することで、ステップＳ５６の取説モードへ移行することが可能となる。ステップＳ５６では、更に取説モードのうち取扱説明書を単に表示する、又は、取扱説明書の中身を検索するステップＳ５７の取説表示・検索モードへ移行するか、取扱説明書の中身を編集するステップＳ５８の取説編集モードへ移行するかを選択することが可能となっている。
【００４２】
ステップＳ５３、５４、５５、５６、５７、５８のいずれの状態においても、レリーズボタン１５の操作は割り込み処理が可能であり、この操作が行われた場合にはそれ以前の操作を中断し、ステップＳ５２の撮影モード処理へジャンプすることが可能となっている。
【００４３】
なお、ステップＳ５７の取説表示・検索モードへ移行するために、ステップＳ５４のメニュー設定、及び、ステップＳ５６の取説モードを経由した操作が必要であるとしたが、操作の簡易化を図るために、ステップＳ５１のスタンバイ状態において素早くステップＳ５７へジャンプするためのショートカット機能を操作部材６の一つ（例えば、ジャンプボタン６ｃ）に割り当てるようにしてもよい。
【００４４】
図５、６には、図４のステップＳ５７の取説表示・検索モードへ移行した状態での表示装置４の表示例を示す。図５は取扱説明書の目次部分の一部が表示された状態である。図５において、各大項目の各小項目への移動は十字キー６ｆ〜６ｉを操作することで可能となっており、図示例では、選択位置を表わす下線１０１を大項目「２カメラまかせの全自動撮影」の小項目「イメージにあわせて撮る・・・３８」に移動させた状態を示す。なお、図示例では選択位置を下線１０１によって表わすようにしているが、表示装置４ａはカラー表示可能であるので、例えば文字の色を変化させて表わすようにしてもよい。
【００４５】
図５に示す状態からセットボタン６ｊを押すことで、選択した小項目の該当頁へと表示を切り替えることが可能となっている。図６は図５の下線１０１で選択した「イメージにあわせて撮る・・・３８」の頁の一部が表示された状態である。
【００４６】
なお、図５及び図６で表示される表示内容は、従来において紙への印刷物として提供される取扱説明書とほぼ同一の内容であるものの、表示装置４ａの画面サイズや画面の解像度に応じて一画面で表せる情報量は当然変化してくる。そのため、文字フォントのサイズや種類、画像やイラスト等の大きさ、レイアウトについては必ずしも同一にはならなくてもよい。
【００４７】
図７には、図４のステップＳ５８の取説編集モードへ移行した状態での表示装置４の表示例を示す。図７は図５と同じく取扱説明書の目次部分の一部が表示された状態である。図７において、各大項目の各小項目への移動は十字キー６ｆ〜６ｉを操作することで可能となっており、図５で説明したのと同様に大項目「２カメラまかせの全自動撮影」の小項目「イメージにあわせて撮る・・・３８」に移動させた状態から、更にセットボタン６ｊを押すことで、表示装置４にはポップアップメニュー１１０が現れる。
【００４８】
図７の状態から更に十字キー６ｊ又は６ｉを操作することで、例えばポップアップメニュー１１０の最上段の"リンク先へ移動"を選択した後、もう一度セットボタン６ｊを押すことで、「イメージにあわせて撮る・・・３８」の頁の一部が表示装置４ａに表示された状態（図６を参照）へ移行することができる。
【００４９】
また、図７の状態から、例えばポップアップメニュー１１０の二段目の"マークを追加"を選択した後、もう一度セットボタン６ｊを押すことで、選択した項目の先頭部分に見出しのためのマーク１１１（図示例では★）を追加することができる。
【００５０】
また、図７の状態から、例えばポップアップメニュー１１０の三段目の"文字をグレーアウト"を選択した後、もう一度セットボタン６ｊを押すことで、選択した項目の文字列の色をグレー色に変更することができる。なお、図７では見えにくいかもしれないが、範囲１１２にある項目の文字列の色がグレー色に変更されている。
【００５１】
また、図７の状態から、例えばポップアップメニュー１１０の四段目の"文字の色を変更"を選択した後、もう一度セットボタン６ｊを押すことで、不図示の更なるポップアップメニュー等が現れ、所定の色を選択しセットボタン６ｊを押すことで、選択した項目の文字列の色を選択した色に変更することができる。
【００５２】
また、図７の状態から、例えばポップアップメニュー１１０の五段目の"表示のサイズ変更"を選択した後、もう一度セットボタン６ｊを押すことで、不図示の更なるポップアップメニュー等が現れ、表示サイズを拡大したり、縮小したりすることが可能となっている。図８は、図７の表示状態に対して拡大表示を選択した場合を示す図であり、取扱説明書の目次部分の一部が拡大表示されている。
【００５３】
本実施形態では、上述したような取扱説明書のカスタマイズ設定について、図４のステップＳ５８の取説編集モードへ移行することによって可能としているが、ステップＳ５７の取説表示・検索モードであっても、例えば"マークを追加"や"表示のサイズ変更"といった機能は設定可能としてもよい。
【００５４】
また、編集できない内容についても、"マークを追加"、"文字をグレーアウト"、"文字の色を変更"等の機能について本実施形態によって限定されるものではなく、それ以外の編集、例えば選択した文字列や項目の書体を変更するようにものであってもよい。
【００５５】
また、取扱説明書の電子データの文字列又は項目単位で選択可能としておき、これによって選択された文字列又は項目単位を非表示状態としたり、文字列又は項目単位の電子データを記憶部２から消去したりすることを可能にしてもよい。
【００５６】
図９は、図６で示した「イメージにあわせて撮る・・・３８」の頁の一部が表示された状態を示すが、範囲１２０において図７を参照して説明した取説編集モードの機能の"文字をグレーアウト"によって説明書の一部の文字列をあえて見え難くした状態である（図９では見えにくいかもしれないが、範囲１２０にある一部の文字列の色がグレー色に変更されている）。また、範囲１２１において取説編集モードの"文字の色を変更"の機能拡大の一つとして文字の背景色を変更した状態である。
【００５７】
図１０は、図９と同様に「イメージにあわせて撮る・・・３８」の頁の一部が表示された状態を示すが、ここでは各種撮影モードを切り替えるモードダイヤル１３を操作してポートレートモードを選択して撮影を行った場合の作画例写真について、図９の場合はポートレートモードの作画例は一つだけが示されていたが、図１０の場合には二つの作画例１３０が示されたものに変更した状態を表した例である。作画例の画像については、例えば取扱説明書の電子データの一部として予め数種類のデータが準備されており、ユーザ自身がその中から選択していくようにしてもよい。或いは、ユーザ自身が撮影した画像を作画例として追加登録できるようにしてもよい。
【００５８】
また、"メモへ"の項目１３１は、例えばユーザ自身が取扱説明書の当該小項目について特記したいコメントを追加する機能のためのものである。ここでは、例えば図に示した予め定められたアイコンを所定の位置へ追加し、十字キー６ｊ又は６ｉを操作することでこのアイコン部分へ移動した後に、もう一度セットボタン６ｊを押すことで、図１１に示すようにメモ１４０を表示することを可能とした例である。
【００５９】
メモ１４０の文字列（文章）を追加する方法としては、本実施形態のデジタルスチルカメラではパソコンのようにキーボードを使った入力装置は通常は備えていないものの、例えば予めパソコンによる文書データを所定の形式によって作成し、カメラ本体１に着脱可能な記憶部２等を用いたり、カメラ本体１とパソコン間を有線又は無線による通信によって接続してデータを転送したりすればよい。また、パソコンを使用せずに、専用の通信アクセサリ装置や携帯電話、ＰＤＡ等と接続することでも同様なことが可能となる。
【００６０】
また、本実施形態では取扱説明書及び各操作に応じて表示される説明文や文章は全て日本語によるものを説明したが、カメラ設定に応じて英語、フランス語、スペイン語、中国語等といった各国の言語に対応することも可能である。
【００６１】
以上述べたように、取扱説明書を常に携帯するような必要性を無くし、各種の操作における使用方法や機能等の情報をその場で容易に確認できるようにするだけでなく、例えば基礎的な使用方法や設定方法、操作部材に連動しないような操作や設定方法、トラブル発生時の復帰操作方法、また広範囲に渡る電子画像取扱装置の使用方法の学習や習得といった情報をも提供することができ、しかも、ユーザ個々の使い方や習熟度、経験度合いに応じて、使い勝手が良くなるように取扱説明書の電子データを編集することができる。
【００６２】
例えば、文字列や項目に見出しのためのマークを追加可能とすることで、ユーザにとって重要な項目を検索しやすい使い勝手の良い取扱説明書に編集することが可能となる。また、文字列や項目の表示形態を変更可能とすることで、ユーザにとって重要な項目を検索しやすくするだけでなく、見やすく使い勝手の良い取扱説明書にすることが可能となる。また、不要な文字列や項目を消去可能とすることで、ユーザにとって重要な項目を検索しやすくするだけでなく、見やすく使い勝手の良い取扱説明書にすることが可能となる。また、取扱説明書に載せられている作例画像等を追加、変更可能とすることで、ユーザにとって理解をしやすく、使い勝手の良い取扱説明書にすることが可能となる。また、新たに作成した文字列を追加可能とすることで、ユーザ個々のコメントや情報をメモとして付帯することができ、使い勝手の良い取扱説明書にすることが可能となる。このように、電子扱説明書の編集、カスタマイズを電子画像取扱装置上で実行することができ、ユーザ個々の使い方や習熟度、経験度合いに応じて、使い勝手の良い電子取扱説明書を提供することが可能となる。
【００６３】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００６４】
この場合、記憶媒体から読み出されたプログラムコード自体が上述した実施形態の機能を実現することになり、プログラムコード自体及びそのプログラムコードを記憶した記憶媒体は本発明を構成することになる。
【００６５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６６】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００６７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００６８】
【図１】本実施形態のデジタルスチルカメラの概略内部構成を示すブロック図である。
【図２】本実施形態のデジタルスチルカメラの正面斜視図である。
【図３】本実施形態のデジタルスチルカメラの背面図である。
【図４】本実施形態のデジタルスチルカメラの各モードへの移行を説明するフローチャートである。
【図５】取扱説明書の目次部分の一部が表示された状態を示す図である。
【図６】取扱説明書の本文の一部が表示された状態を示す図である。
【図７】取扱説明書の目次部分の一部が表示された状態を示す図である。
【図８】図７の状態表示に対して拡大表示を選択した状態を示す図である。
【図９】取扱説明書の本文の一部が表示された状態を示す図である。
【図１０】取扱説明書の本文の一部が表示された状態を示す図である。
【図１１】取扱説明書の本文の一部が表示された状態を示す図である。
【符号の説明】
【００６９】
１  カメラ本体
２  記憶部
３  表示制御部
４  表示装置
５  編集部
６  操作部材
【図１】
2006260249.tif 000003
【図２】
2006260249.tif 000004
【図３】
2006260249.tif 000005
【図４】
2006260249.tif 000006
【図５】
2006260249.tif 000007
【図６】
2006260249.tif 000008
【図７】
2006260249.tif 000009
【図８】
2006260249.tif 000010
【図９】
2006260249.tif 000011
【図１０】
2006260249.tif 000012
【図１１】
2006260249.tif 000013